(57)【要約】【課題】モノクロスキャナで原稿を読み取って多色印刷する印刷装置により、１ページ分の印刷画像に対して１ページの原稿の読み取りで多色印刷を行うものでありつつ、印刷物の品質低下を軽減できる印刷システムを提供する。【解決手段】原稿作成装置２において、２色印刷用原稿データ生成部２２は、カラースキャナ１１が元原稿を読み取って生成した元原稿読取データに基づき、印刷色ごとの原稿画像データを１ページに割り付けた２色印刷用原稿データを生成する。印刷部１２は、２色印刷用原稿データに基づき１ページの２色印刷用原稿を作成する。孔版印刷装置３において、印刷データ生成部７２は、モノクロスキャナ３４が２色印刷用原稿を読み取って生成した２色印刷用原稿読取データを印刷色ごとの領域に分離して、分離した各領域の画像データに基づき印刷色ごとの印刷データを生成する。印刷部３２は、用紙に印刷色ごとの印刷データに基づく２色印刷を行う。【選択図】図１
2017228819.tif 000002
【特許請求の範囲】
【請求項１】
元原稿に基づき多色印刷用原稿を作成する原稿作成装置と、前記多色印刷用原稿に基づき多色印刷を行う印刷装置とを備え、
前記原稿作成装置は、
前記元原稿をカラーで読み取り、元原稿読取データを生成するカラースキャナと、
前記元原稿読取データに基づき、前記印刷装置による多色印刷における印刷色ごとの原稿画像データを生成し、生成した印刷色ごとの前記原稿画像データを１ページに割り付けた多色印刷用原稿データを生成する多色印刷用原稿データ生成部と、
前記多色印刷用原稿データに基づく画像を印刷媒体に印刷することで１ページの前記多色印刷用原稿を作成する原稿印刷部とを備え、
前記印刷装置は、
前記多色印刷用原稿をモノクロで読み取り、多色印刷用原稿読取データを生成するモノクロスキャナと、
前記多色印刷用原稿読取データを多色印刷における印刷色ごとの領域に分離して、分離した各領域の画像データに基づき印刷色ごとの印刷データを生成する印刷データ生成部と、
印刷媒体に印刷色ごとの前記印刷データに基づく多色印刷を行う印刷部と
を備えることを特徴とする印刷システム。
【請求項２】
前記多色印刷用原稿データ生成部は、前記多色印刷用原稿データに印刷色ごとの領域の境界を示す目印を付与し、
前記印刷データ生成部は、前記目印を参照して前記多色印刷用原稿読取データを印刷色ごとの領域に分離することを特徴とする請求項１に記載の印刷システム。
【発明の詳細な説明】
【技術分野】
【０００１】
本発明は、原稿の画像を読み取って印刷を行う印刷システムに関する。
【背景技術】
【０００２】
多色印刷可能な印刷装置において、モノクロスキャナで原稿の画像を読み取って印刷を行うことがある。ここで、多色印刷は、フルカラー印刷とモノクロ印刷との中間的な印刷方法であり、２色印刷等の、少ない色数での印刷を行うものである。
【０００３】
例えば、２色のそれぞれに対応した２つの印刷ドラムを有する孔版印刷装置において、その装置が備えるモノクロスキャナで読み取った原稿の画像を２色印刷することがある。
【０００４】
この際、モノクロスキャナによる読取データから、各印刷ドラムに対応する印刷色ごとに印刷するための印刷データを生成する分版が行われる。
【０００５】
分版方法の１つとして、読取データにおける濃度によって分版する方法がある。この方法では、読取データにおける閾値以上の濃度の画素からなる印刷データと、閾値未満の濃度の画素からなる印刷データとを生成し、これらを２色のそれぞれに対応する印刷データとする。
【０００６】
また、他の分版方法として、例えば、原稿に直接書き込まれた枠によって分版する方法がある（例えば、特許文献１参照）。この方法では、ユーザが所定のペンを用いて、原稿の色分けしたい領域を枠で囲む。そして、この色分けのための枠が書き込まれた原稿をモノクロスキャナで読み取って得られた読取データから、枠内の画像の印刷データと、枠外の画像の印刷データとを生成し、これらを２色のそれぞれに対応する印刷データとする。
【先行技術文献】
【特許文献】
【０００７】
【特許文献１】特開２００５−３１１７４８号公報
【発明の概要】
【発明が解決しようとする課題】
【０００８】
上述した濃度による分版では、濃度の誤判定により色分けの精度が低下し、印刷物の品質が低下するおそれがある。
【０００９】
また、上述した原稿に書き込まれた枠による分版では、例えば、原稿の画像中に円があった場合、これと色分けのために書き込まれた枠との誤認識が生じるおそれがある。このようなことから、色分けの精度が低下し、印刷物の品質が低下するおそれがある。
【００１０】
これに対し、印刷色ごとの２ページ（２枚）の原稿を作成し、それぞれの原稿を個別に読み取って各色の印刷データを生成するようにすれば、上述した分版方法で生じるような、色分けの精度の低下による印刷物の品質低下は抑えられる。
【００１１】
しかしながら、この方法では、１ページ分の印刷画像に対応する２ページの原稿をユーザが作成する必要がある。また、各原稿の読み取りの際に、ユーザが、位置合わせを行いつつ、２ページ分の原稿を読み取らせる操作を行う必要がある。このため、１ページ分の印刷画像に対して読み取る原稿は１ページのみであることが望ましい。
【００１２】
本発明は上記に鑑みてなされたもので、モノクロスキャナで原稿を読み取って多色印刷する印刷装置により、１ページ分の印刷画像に対して１ページの原稿の読み取りで多色印刷を行うものでありつつ、印刷物の品質低下を軽減できる印刷システムを提供することを目的とする。
【課題を解決するための手段】
【００１３】
上記目的を達成するため、本発明に係る印刷システムの第１の特徴は、元原稿に基づき多色印刷用原稿を作成する原稿作成装置と、前記多色印刷用原稿に基づき多色印刷を行う印刷装置とを備え、前記原稿作成装置は、前記元原稿をカラーで読み取り、元原稿読取データを生成するカラースキャナと、前記元原稿読取データに基づき、前記印刷装置による多色印刷における印刷色ごとの原稿画像データを生成し、生成した印刷色ごとの前記原稿画像データを１ページに割り付けた多色印刷用原稿データを生成する多色印刷用原稿データ生成部と、前記多色印刷用原稿データに基づく画像を印刷媒体に印刷することで１ページの前記多色印刷用原稿を作成する原稿印刷部とを備え、前記印刷装置は、前記多色印刷用原稿をモノクロで読み取り、多色印刷用原稿読取データを生成するモノクロスキャナと、前記多色印刷用原稿読取データを多色印刷における印刷色ごとの領域に分離して、分離した各領域の画像データに基づき印刷色ごとの印刷データを生成する印刷データ生成部と、印刷媒体に印刷色ごとの前記印刷データに基づく多色印刷を行う印刷部とを備えることにある。
【００１４】
本発明に係る印刷システムの第２の特徴は、前記多色印刷用原稿データ生成部は、前記多色印刷用原稿データに印刷色ごとの領域の境界を示す目印を付与し、前記印刷データ生成部は、前記目印を参照して前記多色印刷用原稿読取データを印刷色ごとの領域に分離することにある。
【発明の効果】
【００１５】
本発明に係る印刷システムの第１の特徴によれば、原稿作成装置において、元原稿をカラースキャナで読み取り、元原稿読取データに基づき多色印刷用原稿を生成するので、元原稿の画像に対する色分けの精度は高い。そして、多色印刷用原稿では、各印刷色で印刷する部分がそれぞれの領域に割り付けられているので、印刷装置のモノクロスキャナで多色印刷用原稿を読み取って印刷色ごとの印刷データを生成する際に色分けの精度が損なわれることはない。このため、色分けの精度の低下による印刷物の品質低下を抑えることができる。また、孔版印刷装置での多色印刷の際にモノクロスキャナで読み取る多色印刷用原稿は、１ページの原稿である。したがって、本発明に係る印刷システムの第１の特徴によれば、モノクロスキャナで原稿を読み取って多色印刷する孔版印刷装置により、１ページ分の印刷画像に対して１ページの原稿の読み取りで多色印刷を行うものでありつつ、印刷物の品質低下を軽減できる。
【００１６】
本発明に係る印刷システムの第２の特徴によれば、印刷データ生成部は、目印を参照して多色印刷用原稿読取データを印刷色ごとの領域に分離するので、容易に高精度で、多色印刷用原稿読取データを印刷色ごとの領域の画像データに分離することができる。
【図面の簡単な説明】
【００１７】
【図１】実施の形態に係る印刷システムの構成を示すブロック図である。
【図２】図１に示す印刷システムが備える孔版印刷装置の概略構成図である。
【図３】原稿作成装置で２色印刷用原稿を作成する動作を説明するためのフローチャートである。
【図４】元原稿の一例を示す図である。
【図５】印刷色ごとの原稿画像データの説明図である。
【図６】縮小した印刷色ごとの原稿画像データの説明図である。
【図７】２アップデータの説明図である。
【図８】２色印刷用原稿データの説明図である。
【図９】孔版印刷装置の２色印刷の動作を説明するためのフローチャートである。
【図１０】印刷色ごとの領域に分離された画像データの説明図である。
【図１１】各印刷色の印刷データの説明図である。
【図１２】モノクロスキャナで原稿を読み取って２色印刷するための既存の分版方法と、図１に示す印刷システムによる分版方法との機能の比較を示す図である。
【発明を実施するための形態】
【００１８】
以下、本発明の実施の形態について、図面を参照して説明する。各図面を通じて同一もしくは同等の部位や構成要素には、同一もしくは同等の符号を付している。
【００１９】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２０】
図１は、本発明の実施の形態に係る印刷システムの構成を示すブロック図である。図２は、図１に示す印刷システムが備える孔版印刷装置の概略構成図である。なお、以下の説明において、図２における紙面の上下左右を上下左右方向とする。
【００２１】
図１に示すように、本実施の形態に係る印刷システム１は、原稿作成装置２と、孔版印刷装置（請求項の印刷装置に相当）３とを備える。
【００２２】
原稿作成装置２は、元原稿に基づき２色印刷用原稿（請求項の多色印刷用原稿に相当）を作成する。元原稿は、孔版印刷装置３で２色印刷（請求項の多色印刷に相当）される、予め用意された原稿である。２色印刷用原稿は、孔版印刷装置３における２色印刷の際に後述するモノクロスキャナ３４で読み取られる原稿である。原稿作成装置２は、カラースキャナを備えた印刷装置からなる。
【００２３】
原稿作成装置２は、図１に示すように、カラースキャナ１１と、印刷部１２と、操作入力部１３と、制御部１４とを備える。
【００２４】
カラースキャナ１１は、元原稿をカラーで読み取り、ＲＧＢ形式の画像データである元原稿読取データを生成する。
【００２５】
印刷部１２は、後述する２色印刷用原稿データに基づく画像を印刷媒体である用紙に印刷することで、２色印刷用原稿を作成する。印刷部１２は、例えば、インクジェット方式の印刷機構を有する。なお、印刷部１２は、請求項の原稿印刷部に相当する。
【００２６】
操作入力部１３は、ユーザの各種入力操作を受け付け、操作に応じた操作信号を出力する。操作入力部１３は、各種の操作キー、タッチパネル等を有する。
【００２７】
制御部１４は、原稿作成装置２全体の動作を制御する。制御部１４は、ＣＰＵ、ＲＡＭ、ＲＯＭ、ハードディスク等を備えて構成される。制御部１４は、読取制御部２１と、２色印刷用原稿データ生成部（請求項の多色印刷用原稿データ生成部に相当）２２と、印刷制御部２３とを備える。制御部１４の各部は、ＣＰＵがハードディスク等に格納されたプログラムにしたがって動作すること等により構成される。
【００２８】
読取制御部２１は、カラースキャナ１１の動作を制御する。
【００２９】
２色印刷用原稿データ生成部２２は、元原稿読取データに基づき、孔版印刷装置３による２色印刷における印刷色ごとの原稿画像データを生成し、生成した印刷色ごとの原稿画像データを１ページに集約して割り付けた２色印刷用原稿データ（請求項の多色印刷用原稿データに相当）を生成する。
【００３０】
印刷制御部２３は、印刷部１２の動作を制御する。
【００３１】
孔版印刷装置３は、２色印刷可能な孔版印刷方式の印刷装置である。図１、図２に示すように、孔版印刷装置３は、給紙部３１と、印刷部３２と、排紙部３３と、モノクロスキャナ３４と、操作入力部３５と、制御部３６とを備える。
【００３２】
給紙部３１は、印刷媒体である用紙Ｐを印刷部３２へ給紙する。給紙部３１は、給紙台４１と、１次給紙ローラ４２と、２次給紙ローラ４３とを備える。
【００３３】
給紙台４１は、印刷に用いられる用紙Ｐが積載されるものである。
【００３４】
１次給紙ローラ４２は、給紙台４１上に積載された用紙Ｐを１枚ずつ取り出して２次給紙ローラ４３へ送り出す。
【００３５】
２次給紙ローラ４３は、１次給紙ローラ４２から搬送されてきた用紙Ｐを後述する印刷部３２の第１印刷ドラム４７と第１プレスローラ４８との間へ送り出す。
【００３６】
印刷部３２は、給紙部３１から給紙された用紙Ｐに印刷を行う。図２に示すように、印刷部３２は、製版部４６と、第１印刷ドラム４７と、第１プレスローラ４８と、中間搬送部４９と、反転部５０と、第２印刷ドラム５１と、第２プレスローラ５２とを備える。
【００３７】
製版部４６は、印刷データに基づき孔版原紙（図示せず）にサーマルヘッド（図示せず）で穿孔を行うことにより製版する。製版部４６は、孔版原紙を第１印刷ドラム４７に供給する第１原紙供給位置（図２の実線位置）と、孔版原紙を第２印刷ドラム５１に供給する第２原紙供給位置（図２の仮想線位置）との間で左右方向に移動可能に構成されている。
【００３８】
第１印刷ドラム４７は、用紙Ｐにインクを転写して印刷する。第１印刷ドラム４７は、図２における反時計回り方向に回転可能に構成されている。第１印刷ドラム４７は、円筒形状を有し、多孔構造によるインク透過性の部材で周壁が構成されている。第１印刷ドラム４７の外周面には、製版された孔版原紙が巻装される。第１印刷ドラム４７の内周面には、インク供給部（図示せず）からインクが供給される。第１印刷ドラム４７が回転して第１プレスローラ４８との間で用紙Ｐを搬送しつつ、インクが第１印刷ドラム４７の周壁および孔版原紙の穿孔部分を通過して用紙Ｐに転写されることで印刷が行われる。
【００３９】
第１プレスローラ４８は、用紙Ｐを第１印刷ドラム４７の外周面に押し付ける。第１プレスローラ４８は、第１印刷ドラム４７の外周面を押圧する押圧位置と、第１印刷ドラム４７の外周面より下方に退避する退避位置との間で上下方向に移動可能に構成されている。
【００４０】
中間搬送部４９は、２色印刷時および片面単色印刷時において、第１印刷ドラム４７で印刷された用紙Ｐを第２印刷ドラム５１側へ搬送する。中間搬送部４９は、フリッパ５６と、中間ベルト搬送部５７とを備える。
【００４１】
フリッパ５６は、第１印刷ドラム４７で印刷された用紙Ｐの搬送経路を、中間ベルト搬送部５７へ導く経路と、後述する反転部５０の貯留部６２へ導く経路との間で切り替える。フリッパ５６は、用紙Ｐを中間ベルト搬送部５７へ導く場合、図２において実線で示す片面印刷方向に設定される。また、用紙Ｐを貯留部６２へ導く場合、フリッパ５６は、図２において仮想線で示す両面印刷方向に設定される。
【００４２】
中間ベルト搬送部５７は、片面印刷方向に設定されたフリッパ５６により誘導されつつ第１印刷ドラム４７側から搬送されてきた用紙Ｐを第２印刷ドラム５１側へ搬送する。
【００４３】
反転部５０は、両面印刷時において、第１印刷ドラム４７で一方の面に印刷された用紙Ｐを上下反転させて第２印刷ドラム５１側へ搬送する。反転部５０は、湾曲搬送部６１と、貯留部６２と、３次給紙ローラ６３と、４次給紙ローラ６４とを備える。
【００４４】
湾曲搬送部６１は、両面印刷時に第１印刷ドラム４７で片面に印刷された用紙Ｐを、下方の貯留部６２へ搬送する。
【００４５】
貯留部６２は、湾曲搬送部６１から搬送されてきた用紙Ｐを一時的にストックした後、３次給紙ローラ６３へ送り出す。
【００４６】
３次給紙ローラ６３は、貯留部６２から送り出された用紙Ｐを受け取り、４次給紙ローラ６４へ向けて搬送する。
【００４７】
４次給紙ローラ６４は、３次給紙ローラ６３から搬送されてきた用紙Ｐを第２印刷ドラム５１と第２プレスローラ５２との間へ送り出す。
【００４８】
第２印刷ドラム５１は、２色印刷時において、第１印刷ドラム４７で一方の面に印刷された用紙Ｐの、第１印刷ドラム４７で印刷された面と同じ面にインクを転写して印刷する。また、第２印刷ドラム５１は、両面印刷時において、第１印刷ドラム４７で一方の面に印刷された用紙Ｐの他方の面にインクを転写して印刷する。第２印刷ドラム５１は、第１印刷ドラム４７と同様の構成である。第２印刷ドラム５１は、第１印刷ドラム４７の右方に配置されている。
【００４９】
第２プレスローラ５２は、２色印刷時および片面単色印刷時において、用紙Ｐを第２印刷ドラム５１の外周面に押し付ける。第２プレスローラ５２は、第２印刷ドラム５１の外周面を押圧する押圧位置と、第２印刷ドラム５１の外周面より下方に退避する退避位置との間で上下方向に移動可能に構成されている。
【００５０】
排紙部３３は、印刷部３２で印刷された用紙Ｐを排紙する。排紙部３３は、排紙用ベルト搬送部６５と、排紙台６６とを備える。
【００５１】
排紙用ベルト搬送部６５は、印刷部３２で印刷された用紙Ｐを排紙台６６へ搬送する。
【００５２】
排紙台６６は、排紙された印刷済みの用紙Ｐが積載されるものである。
【００５３】
モノクロスキャナ３４は、原稿をモノクロで読み取り、グレースケールの画像データである読取データを生成する。
【００５４】
操作入力部３５は、ユーザの各種入力操作を受け付け、操作に応じた操作信号を出力する。操作入力部３５は、各種の操作キー、タッチパネル等を有する。
【００５５】
制御部３６は、孔版印刷装置３全体の動作を制御する。制御部３６は、ＣＰＵ、ＲＡＭ、ＲＯＭ、ハードディスク等を備えて構成される。制御部３６は、読取制御部７１と、印刷データ生成部７２と、印刷制御部７３とを備える。制御部３６の各部は、ＣＰＵがハードディスク等に格納されたプログラムにしたがって動作すること等により構成される。
【００５６】
読取制御部７１は、モノクロスキャナ３４の動作を制御する。
【００５７】
印刷データ生成部７２は、モノクロスキャナ３４で原稿を読み取って生成された読取データを画像処理して、孔版印刷用の印刷データを生成する。２色印刷の場合、印刷データ生成部７２は、モノクロスキャナ３４で２色印刷用原稿を読み取って生成された２色印刷用原稿読取データ（請求項の多色印刷用原稿読取データに相当）を印刷色ごとの領域に分離して、分離した各領域の画像データに基づき印刷色ごとの印刷データを生成する。
【００５８】
印刷制御部７３は、印刷部３２の動作を制御する。
【００５９】
次に、孔版印刷装置３で２色印刷を行う際の印刷システム１の動作について説明する。
【００６０】
印刷システム１において、孔版印刷装置３で２色印刷を行う際、まず、元原稿から原稿作成装置２で２色印刷用原稿を作成する。その後、孔版印刷装置３において２色印刷用原稿を読み取って２色印刷を行う。
【００６１】
ここでは、孔版印刷装置３における２色印刷で用いる印刷色は黒と赤であり、第１印刷ドラム４７が黒インク、第２印刷ドラム５１が赤インクで印刷するものとする。また、元原稿は黒と赤の２色からなるものとする。
【００６２】
原稿作成装置２で２色印刷用原稿を作成する動作について、図３のフローチャートを参照して説明する。
【００６３】
図３のフローチャートの処理は、ユーザにより原稿作成装置２のカラースキャナ１１に元原稿がセットされ、操作入力部１３に対するユーザの操作により読み取り開始の指示が入力されたことにより開始となる。
【００６４】
図３のステップＳ１において、読取制御部２１は、元原稿の画像を読み取るようカラースキャナ１１を制御する。カラースキャナ１１は、元原稿を読み取り、ＲＧＢ形式の元原稿読取データを生成する。
【００６５】
次いで、ステップＳ２において、２色印刷用原稿データ生成部２２は、元原稿読取データを黒、赤の２色の原稿画像データに変換する。
【００６６】
具体的には、例えば、２色印刷用原稿データ生成部２２は、ＲＧＢ形式の元原稿読取データをＹＣｂＣｒ形式のデータに変換する。ＹＣｂＣｒ形式は、色をＹ（輝度）とＣｂ，Ｃｒ（色差）で表現する形式である。２色印刷用原稿データ生成部２２は、Ｃｂ，Ｃｒの値に基づき、各画素の彩度および色相角を算出する。そして、２色印刷用原稿データ生成部２２は、各画素の彩度および色相角に基づき、各画素の色を判定し、その判定結果に基づき、黒、赤のそれぞれの原稿画像データを生成する。
【００６７】
例えば、図４に示すような元原稿の画像に対し、２色印刷用原稿データ生成部２２は、図５に示すような黒成分の原稿画像データと赤成分の原稿画像データとを生成する。
【００６８】
次いで、図３のステップＳ３において、２色印刷用原稿データ生成部２２は、ステップＳ２で生成した２色の原稿画像データの２面割り付けを行う。
【００６９】
具体的には、２色印刷用原稿データ生成部２２は、まず、図６に示すように、２色の原稿画像データをそれぞれＸ方向（横方向）において１／２に縮小する。
【００７０】
次いで、２色印刷用原稿データ生成部２２は、図７に示すように、縮小した２色の原稿画像データを、元原稿のサイズと同じである２色印刷用原稿の出力用紙サイズの１ページに集約して割り付け、２アップデータを生成する。ここで、２色印刷用原稿は、孔版印刷装置３のモノクロスキャナ３４で読み取られるものであるため、モノクロの原稿でよい。このため、２面割り付けの際、図７に示すように、赤成分の原稿画像データの画像を黒に変換する。
【００７１】
なお、２色の原稿画像データをそれぞれＹ方向（縦方向）において１／２に縮小して２面割り付けを行ってもよい。
【００７２】
次いで、図３のステップＳ４において、２色印刷用原稿データ生成部２２は、図８に示すように、２アップデータに、割り付けられた２面の領域（印刷色ごとの領域）の境界を示す目印７６を付与する。これにより、２色印刷用原稿データが完成となる。
【００７３】
次いで、図３のステップＳ５において、印刷制御部２３は、印刷部１２を制御して、２色印刷用原稿データに基づく画像を元原稿と同じサイズの用紙に印刷させる。これにより、図８のような画像が印刷された１ページの２色印刷用原稿が出力され、一連の動作が終了となる。
【００７４】
次に、孔版印刷装置３の２色印刷の動作について、図９のフローチャートを参照して説明する。
【００７５】
図９のフローチャートの処理は、ユーザにより孔版印刷装置３のモノクロスキャナ３４に２色印刷用原稿がセットされ、操作入力部３５に対するユーザの操作により読み取り開始の指示が入力されたことにより開始となる。
【００７６】
図９のステップＳ１１において、読取制御部７１は、２色印刷用原稿を読み取るようモノクロスキャナ３４を制御する。モノクロスキャナ３４は、２色印刷用原稿を読み取り、グレースケールの２色印刷用原稿読取データを生成する。２色印刷用原稿読取データは、図８に示した２色印刷用原稿データと同様の画像のデータとなる。
【００７７】
次いで、ステップＳ１２において、印刷データ生成部７２は、２色印刷用原稿読取データを、目印７６を参照して、図１０に示すように、印刷色ごとの２つの領域の画像データに分離する。また、印刷データ生成部７２は、それぞれの画像データに対し、孔版印刷に対応したエッジ強調等の画像処理を施す。
【００７８】
次いで、図９のステップＳ１３において、印刷データ生成部７２は、ステップＳ１２で分離した各領域の画像データに基づき、印刷色ごとの印刷データを生成する。具体的には、印刷データ生成部７２は、各領域の画像データをそれぞれＸ方向において２倍に拡大して、図１１に示すような、黒印刷用の印刷データおよび赤印刷用の印刷データを生成する。
【００７９】
次いで、ステップＳ１４において、印刷制御部７３は、２色印刷用の製版を行う。具体的には、まず、印刷制御部７３は、製版部４６を第１原紙供給位置に配置した状態で、黒印刷用の印刷データに基づき、孔版原紙にサーマルヘッドで穿孔して製版するよう製版部４６を制御する。次いで、印刷制御部７３は、製版された孔版原紙の先端を第１印刷ドラム４７のクランプ板（図示せず）にクランプさせ、第１印刷ドラム４７を回転させることで、孔版原紙を第１印刷ドラム４７に着版させる。
【００８０】
この後、印刷制御部７３は、製版部４６を第２原紙供給位置へ移動させる。次いで、印刷制御部７３は、赤印刷用の印刷データに基づき、孔版原紙にサーマルヘッドで穿孔して製版するよう製版部４６を制御する。そして、印刷制御部７３は、製版された孔版原紙の先端を第２印刷ドラム５１のクランプ板（図示せず）にクランプさせ、第２印刷ドラム５１を回転させることで、孔版原紙を第２印刷ドラム５１に着版させる。
【００８１】
次いで、ステップＳ１５において、印刷制御部７３は、２色印刷を実行する。具体的には、まず、印刷制御部７３は、フリッパ５６を片面印刷方向に設定する。次いで、印刷制御部７３は、第１プレスローラ４８および第２プレスローラ５２を押圧位置に配置する。次いで、印刷制御部７３は、第１印刷ドラム４７および第２印刷ドラム５１の回転、中間ベルト搬送部５７の駆動、および排紙用ベルト搬送部６５の駆動を開始させる。
【００８２】
そして、印刷制御部７３は、給紙部３１から指定印刷枚数分の用紙Ｐを順次印刷部３２へ給紙させる。給紙された用紙Ｐは、第１印刷ドラム４７および第１プレスローラ４８により搬送されつつ、黒インクで印刷される。これにより、黒印刷用の印刷データに応じた画像が用紙Ｐの一方の面に印刷される。
【００８３】
第１印刷ドラム４７と第１プレスローラ４８との間を通過した用紙Ｐは、フリッパ５６により中間ベルト搬送部５７へ導かれ、中間ベルト搬送部５７により第２印刷ドラム５１と第２プレスローラ５２との間へ送り出される。そして、用紙Ｐは、第２印刷ドラム５１および第２プレスローラ５２により搬送されつつ、赤インクで印刷される。これにより、用紙Ｐにおける第１印刷ドラム４７で黒の画像が印刷されたのと同じ面に、赤印刷用の印刷データに応じた画像が印刷される。この結果、図４に示した元原稿と同様の画像が用紙Ｐの一方の面に印刷される。
【００８４】
印刷された用紙Ｐは、排紙部３３において排紙用ベルト搬送部６５により搬送されて排紙台６６へ順次排紙される。指定印刷枚数分の用紙Ｐが印刷されて排紙されると、一連の動作が終了となる。
【００８５】
次に、モノクロスキャナで原稿を読み取って２色印刷するための既存の分版方法と、本実施の形態の印刷システム１による分版方法との機能の比較について、図１２を参照して説明する。ここでは、孔版印刷装置において黒と赤とで２色印刷する際の分版方法として説明する。
【００８６】
図１２に示すように、モノクロスキャナで原稿を読み取って２色印刷するための既存の分版方法として、２原稿分版、赤色分版、トレース分版、エリア指定分版、および書き込み分版がある。
【００８７】
２原稿分版は、黒印刷用の原稿と赤印刷用の原稿との２ページ（２枚）の原稿を作成し、それぞれの原稿をモノクロスキャナで読み取ることで、黒印刷用の印刷データと赤印刷用の印刷データとを生成する方法である。
【００８８】
赤色分版は、黒と赤の２色の原稿をモノクロスキャナで読み取って得られた読取データにおける各画素の濃度に基づき、各画素の色が黒か赤かを判定し、その結果に基づき、黒印刷用の印刷データと赤印刷用の印刷データとを生成する方法である。
【００８９】
トレース分版は、原稿中の赤で印刷する部分を指示する枠をユーザが書き込んだ別紙であるトレース用紙を用いる方法である。この方法では、原稿とトレース用紙とをモノクロスキャナで読み取り、別紙の読取データを参照して原稿中の赤で印刷する部分を判定し、その結果に基づき、原稿の読取データから黒印刷用の印刷データと赤印刷用の印刷データとを生成する。
【００９０】
エリア指定分版は、原稿に直接書き込まれた枠によって分版する方法である。この方法では、原稿中の赤で印刷する部分を指示する枠をユーザが原稿に直接書き込む。そして、この原稿をモノクロスキャナで読み取り、読取データにおける枠内のデータと枠外のデータとから、それぞれ赤印刷用の印刷データと黒印刷用の印刷データとを生成する。
【００９１】
書き込み分版は、黒で印刷された部分と、鉛筆や赤ペンによる手書き部分とを含む原稿に対し、手書き部分を赤で印刷し、他の部分を黒で印刷するよう分版するものである。この方法では、原稿をモノクロスキャナで読み取り、読取データから孔版印刷装置が手書き部分を自動的に判別し、手書き部分のデータから赤印刷用の印刷データを生成し、他の部分から黒印刷用の印刷データを生成する。
【００９２】
また、図１２に示すように、評価項目は、１原稿での分版の可不可、原稿維持の可不可、２色の掛け合わせ（疑似カラー印刷）の可不可、位置精度、および色分け精度の５項目である。
【００９３】
１原稿での分版の可不可は、モノクロスキャナで読み取る原稿が１ページのみでの分版が可能であるか否かを示す項目である。本実施の形態の分版方法では、上述のように、孔版印刷装置３のモノクロスキャナ３４で読み取るのは１ページの原稿である２色印刷用原稿であるため、１原稿での分版が可能である。
【００９４】
赤色分版、エリア指定分版、および書き込み分版においても、１原稿での分版が可能である。２原稿分版では、２ページの原稿を用いるので、１原稿での分版は不可となっている。また、トレース分版では、原稿とトレース用紙との２枚（２ページ）の読み取りが必要なため、１原稿での分版は不可と判定している。
【００９５】
原稿維持の可不可は、原稿を汚すことなく分版が可能であるか否かを示す項目である。本実施の形態の分版方法では、元原稿への書き込みは不要であるため、原稿維持は可能である。
【００９６】
２原稿分版、赤色分版、およびトレース分版においても、原稿維持は可能である。エリア指定分版では、原稿に枠を直接書き込むため、原稿維持は不可である。また、書き込み分版では、原稿に手書き部分が含まれているため、原稿維持は不可と判定している。
【００９７】
２色の掛け合わせの可不可は、２色を重ねて印刷することによる疑似カラー印刷が可能か否かを示すものである。
【００９８】
本実施の形態の分版方法では、上述のように、原稿作成装置２において元原稿をカラースキャナ１１で読み取って得られた元原稿読取データから、各画素の色の判定結果に基づき、黒成分の原稿画像データと赤成分の原稿画像データとを生成する。そして、これらの原稿画像データを２面割り付けすることで、２色印刷用原稿データを生成し、この２色印刷用原稿データに基づく印刷を行うことで、２色印刷用原稿を作成する。
【００９９】
ここで、元原稿読取データはカラーの画像データであるため、黒、赤以外の色も判定可能である。このため、黒、赤以外の、黒と赤とを重ねて印刷することで表現する色を判定できる。そして、黒と赤とを重ねて印刷することで表現する色の部分を、黒成分の原稿画像データと赤成分の原稿画像データの両方に含めるようにすれば、２色印刷用原稿において、黒に対応する画像と赤に対応する画像とに共通して含まれる部分を設けることができる。
【０１００】
このような２色印刷用原稿を用いて孔版印刷装置３で２色印刷することで、印刷画像の少なくとも一部で黒と赤とを重ねて印刷することができるので、本実施の形態の分版方法では、２色の掛け合わせが可能である。
【０１０１】
２原稿分版では、２つの原稿の画像に共通して含まれる部分を設けることで、２色の掛け合わせが可能である。赤色分版、トレース分版、エリア指定分版、および書き込み分版では、原稿の画像を黒で印刷される部分と赤で印刷される部分とに分けるだけなので、２色の掛け合わせは不可である。
【０１０２】
位置精度は、原稿をモノクロスキャナで読み取らせる際に要求される原稿の位置合わせの精度を示す。位置精度の要求が緩やかで原稿のセットが容易な方からＡ〜Ｃの３段階での評価を示している。
【０１０３】
本実施の形態の分版方法では、２色印刷用原稿が１ページの原稿であるため、２ページの原稿を読み取る場合のような原稿間の位置合わせは要求されない。このため、本実施の形態の分版方法では、この位置精度の項目における評価は「Ａ」となる。
【０１０４】
赤色分版、エリア指定分版、および書き込み分版でも、原稿が１ページであるため、この位置精度の項目における評価は「Ａ」となる。
【０１０５】
２原稿分版では、２ページの原稿間で位置合わせが必要である。また、トレース分版では、原稿とトレース用紙との間で位置合わせが必要である。このため、２原稿分版およびトレース分版では、他の分版方法よりも、この位置精度の項目の評価が低くなり、それぞれ「Ｃ」、「Ｂ」である。
【０１０６】
色分け精度は、黒で印刷する部分と赤で印刷する部分とを分ける色分けの精度を示す。色分けの精度が高い方からＡ〜Ｃの３段階での評価を示している。
【０１０７】
本実施の形態の分版方法では、元原稿をカラースキャナ１１で読み取って得られた元原稿読取データに基づき、黒で印刷する部分と赤で印刷する部分とを分けて２色印刷用原稿を生成しているので、元原稿の画像に対する色分けの精度は高い。そして、２色印刷用原稿では、黒で印刷する部分と赤で印刷する部分とがそれぞれの領域に割り付けられているので、２色印刷用原稿を読み取って印刷色ごとの印刷データを生成する際に色分けの精度が損なわれることはない。したがって、本実施の形態の分版方法では、色分けの精度は高く、評価は「Ａ」となる。
【０１０８】
２原稿分版では、黒で印刷する部分と赤で印刷する部分とをそれぞれ個別の原稿から読み取るため、色分けの精度は高く、評価は「Ａ」となる。
【０１０９】
赤色分版では、読取データにおける各画素の色が黒か赤かを各画素の濃度に基づいて判定する際に、濃度の誤判定により色分けの精度が低下することがある。トレース分版では、読み取り時の原稿とトレース用紙との位置ずれにより、色分けの精度が低下することがある。エリア指定分版では、枠の誤認識により、色分けの精度が低下することがある。書き込み分版では、手書き部分の自動判別における誤判別により、色分けの精度が低下することがある。このため、赤色分版、トレース分版、エリア指定分版、書き込み分版では、本実施の形態の分版方法および２原稿分版よりも、この色分け精度の項目の評価が低くなり、それぞれ「Ｃ」、「Ｂ」、「Ｂ」、「Ｂ」である。
【０１１０】
上述のように、１原稿での分版、原稿維持、および２色の掛け合わせがいずれも可能であり、位置精度および色分け精度の評価がいずれも「Ａ」なのは、本実施の形態の分版方法のみである。
【０１１１】
以上説明したように、印刷システム１では、原稿作成装置２において、カラースキャナ１１で元原稿を読み取る。２色印刷用原稿データ生成部２２は、元原稿読取データに基づき、２色印刷における印刷色ごとの原稿画像データを生成し、生成した印刷色ごとの原稿画像データを１ページに割り付けた２色印刷用原稿データを生成する。そして、印刷部１２において２色印刷用原稿データに基づく画像を印刷することで、１ページの２色印刷用原稿を作成する。孔版印刷装置３では、モノクロスキャナ３４で２色印刷用原稿を読み取る。印刷データ生成部７２は、２色印刷用原稿読取データを印刷色ごとの２つの領域の画像データに分離し、分離した各領域の画像データに基づき、印刷色ごとの印刷データを生成する。そして、印刷部３２において印刷色ごとの印刷データに基づく２色印刷を行う。
【０１１２】
このように、印刷システム１では、原稿作成装置２において、元原稿をカラースキャナ１１で読み取り、元原稿読取データに基づき２色印刷用原稿を生成するので、元原稿の画像に対する色分けの精度は高い。そして、２色印刷用原稿では、各印刷色で印刷する部分がそれぞれの領域に割り付けられているので、孔版印刷装置３のモノクロスキャナ３４で２色印刷用原稿を読み取って印刷色ごとの印刷データを生成する際に色分けの精度が損なわれることはない。このため、色分けの精度の低下による印刷物の品質低下を抑えることができる。
【０１１３】
また、印刷システム１では、孔版印刷装置３での２色印刷の際にモノクロスキャナ３４で読み取る２色印刷用原稿は、１ページのみの原稿である。
【０１１４】
したがって、印刷システム１は、モノクロスキャナ３４で原稿を読み取って２色印刷する孔版印刷装置３により、１ページ分の印刷画像に対して１ページの原稿の読み取りで２色印刷を行うものでありつつ、印刷物の品質低下を軽減できる。
【０１１５】
また、印刷システム１では、孔版印刷装置３の印刷データ生成部７２は、目印７６を参照して、２色印刷用原稿読取データを印刷色ごとの２つの領域の画像データに分離する。これにより、容易に高精度で、２色印刷用原稿読取データを印刷色ごとの２つの領域の画像データに分離することができる。
【０１１６】
なお、目印７６を省略し、例えば、２色印刷用原稿読取データを予め設定された位置で印刷色ごとの２つの領域の画像データに分離するようにしてもよい。
【０１１７】
また、上述した実施の形態では、２つの印刷ドラムを有する孔版印刷装置で２色印刷する場合で説明したが、装着可能な印刷ドラムが１つである孔版印刷装置において、印刷ドラムを入れ替えることで２色印刷する場合にも本発明は適用可能である。
【０１１８】
また、上述した実施の形態では、孔版印刷方式の印刷装置で２色印刷する場合で説明したが、印刷方式は、インクジェット方式等の他の印刷方式でもよい。
【０１１９】
また、上述した実施の形態では、黒と赤の２色印刷について説明したが、色の組み合わせおよび色の数はこれに限らない。３色以上の多色印刷においても、本発明は適用可能である。
【０１２０】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１２１】
１  印刷システム
２  原稿作成装置
３  孔版印刷装置
１１  カラースキャナ
１２  印刷部
１４  制御部
２１  読取制御部
２２  ２色印刷用原稿データ生成部
２３  印刷制御部
３１  給紙部
３２  印刷部
３３  排紙部
３４  モノクロスキャナ
３６  制御部
７１  読取制御部
７２  印刷データ生成部
７３  印刷制御部
【図１】
2017228819.tif 000003
【図２】
2017228819.tif 000004
【図３】
2017228819.tif 000005
【図４】
2017228819.tif 000006
【図５】
2017228819.tif 000007
【図６】
2017228819.tif 000008
【図７】
2017228819.tif 000009
【図８】
2017228819.tif 000010
【図９】
2017228819.tif 000011
【図１０】
2017228819.tif 000012
【図１１】
2017228819.tif 000013
【図１２】
2017228819.tif 000014